(57)【要約】【課題】登下校時に常時児童がランドセルに収容・携帯して、災害時にはすぐに取出し、使用でき、防災性能、衝撃吸収性能、洗濯性能、軽量性、耐吸水性、難燃性に優れた、ランドセル収納用防災頭巾を提供する。【解決手段】頭部と、後部に開閉スリットを有する首部とを有し、左右重ね合わせできるようになっている外側カバーと、外側カバーの内側に縫合加工により取付けられ、防水性、耐吸水性、難燃性及び耐衝撃性を有し、頭部を被覆する内側クッション部材であって、左右重ね合わせできるようになっている内側クッション部材とからなる防災頭巾。児童の耳に対応する位置に耳を露出するための凹部を有し、使用しないときには、外側カバーの首部をスリットの上端部が位置する高さ位置で折返し、クッション部材の帯状部及び下方部の少なくとも一部を折り返した首部内側に収容し、防災頭巾は重ね合わせ折り返した状態でランドセルの蓋部の内側に着脱可能に収容可能なサイズとされている。【選択図】図４
2016034389.tif 000002
【特許請求の範囲】
【請求項１】
（１）顔側及び首側が開口し、防水性、耐吸水性及び難燃性を有し、児童の頭部を被覆する外側カバーであって、頭部と、後部に開閉スリットを有する首部とを有し、左右重ね合わせできるようになっている外側カバーと、
（２）顔側及び首側が開口し、外側カバーの頭部の内方に位置しかつ外側カバーの内側に糸によって縫合加工により取付けられ、防水性、耐吸水性、難燃性及び耐衝撃性を有し、頭部を被覆する内側クッション部材であって、左右重ね合わせできるようになっている内側クッション部材とからなる防災頭巾であって、
内側クッション部材は両頬へそれぞれ延びる帯状部を有し、帯状体の下端部は両側の帯状体の下端部が互いに取り外し可能に連結され防災頭巾を固定保持するようにされ、かつ児童の耳に対応する位置に耳を露出するための凹部を有し、かつ後頭部と該凹部との間に下方部を有し下方部は後頭部下端からスリットを有し、スリットにより左右に開閉するようにされ、内側クッション部材の帯状部と下方部は外側カバーの首部の上方に位置し、
（３）防災頭巾は使用しないときには、外側カバーを構成する左右の外側カバー部及び内側クッション部材を構成する左右の内側クッション部はそれぞれ重ね合わせることができ、
（４）外側カバーの首部を外側カバーのスリットの上端部が位置する高さ位置に沿って内側に折り返すことによって、クッション部材の帯状部及び下方部の少なくとも一部を折り返した首部内側に収容し、
（５）防災頭巾は重ね合わせ折り返した状態でランドセルの蓋部の内側に着脱可能に収容可能なサイズとされた、防災頭巾。
【請求項２】
（１−１）外側カバーは左右2枚の外側カバー部から形成され、各外側カバー部は頭頂部、後頭部、頭頂部と後頭部とに連なり外側に凸状に湾曲した移行部、首部及び顔部とを有し、
（１−２）左右2枚の外側カバー部の頭頂部、移行部及び後頭部の外縁部が重ね合わされ糸によって縫合されて外側カバーが形成され、左右2枚の外側カバー部の首部の間に前記スリットが形成され、左右外側カバー部の移行部から斜め内方に延び外側カバー部が外側へ膨らむことを可能とする縫合部が設けられ、
（２−１）内側クッション部材は、左右2枚の内側クッション部からなり、各内側クッション部は頭頂部、後頭部、頭頂部と後頭部とに連なる凸状に湾曲した移行部、首部、後頭部と首部とに連なる下方部及び顔部とを有し、
（２−２）内側クッション部の下方部は、内側クッション部を外側カバーの内側に取付けた時、外側カバーの首部の上方に位置し、内側クッション部の頭頂部、移行部及び後頭部は連続したなだらかな曲線状とされ、
（２−３）各内側クッション部には立体縫合されて頭部形状に沿う形状を形成するカット部が形成され、
（２−４）各内側クッション部の顔部の下方には頬へ延びる前記帯状部が形成され、
（２−５）各内側クッション部の帯状体の後方には耳を露出するための凹部が形成され、
（２−６）左右2枚の内側クッション部の頭頂部、移行部及び後頭部の外縁部は互いに重ね合わせた状態で、縫合され、頭頂部、移行部及び後頭部の外縁部に帯状に延びる補強リブが形成されている、請求項１に記載の防災頭巾。
【請求項３】
外側カバーは、高強度ポリエステル基布の表面を塩化ビニル樹脂でコーティングした複合材料を用いる、請求項１または２に記載の防災頭巾。
【請求項４】
内側クッション部材は、発泡ゴムであって、密度が0.100+/-0.03〜0.240+/-0.04g/cm3、硬度（Ｃタイプ）が5+/-3〜35+/-5、25％圧縮荷重が9.8-39.2KPa（100-400g/cm2）〜88.3-166.7 KPa（900-1700g/cm2）である、請求項１乃至３のいずれかに記載の防災頭巾。
【請求項５】
内側クッション部材の顔部の縁部及び首部の前方端部は、ストレッチ縫合され強度が高められている、請求項１乃至４のいずれかに記載の防災頭巾。
【請求項６】
帯状体の下端部にはリボン状の固定具が取付けられ、左右のリボンを互いに取り外し可能に連結し防災頭巾を固定保持する、請求項１乃至５のいずれかに記載の防災頭巾。
【請求項７】
頭頂部近傍、耳部露出用凹部後方の下方部縁部近傍及び帯状部で内側クッション部材は外側カバーの内側に縫合固定されている、請求項１乃至６のいずれかに記載の防災頭巾。
【発明の詳細な説明】
【技術分野】
【０００１】
本発明は、ランドセル収納用防災頭巾に関する。
【背景技術】
【０００２】
従来、学校において、普段は教室の椅子の上に置いてクッションとして使用し、地震等が起きた場合に頭にかぶる防災頭巾が知られている。この防災頭巾は座布団様材料で作られ、頭頂部と後頭部が閉止され、顔部と首部が開口され、口部下方に挿着バンドが設けられたもので、児童・生徒は首部から頭を挿入・装着して使用するようになっている。
【０００３】
しかしながら、普段は教室の椅子の上に置いてクッションとして使用し、地震等が起きた場合に頭にかぶるので、登下校時に常時児童が携帯し、災害時にすぐに出して、使用可能となるというものではなかった。また、頭巾をかぶった状態で、児童の側部を両側から挟み頭部を覆い包む形状となっているので、圧迫感があり、一方座布団様材料で作られているので、防水性は低く、雨等に会うと雨水を吸収してしまい重くなってしまうという欠点があった。さらに、使用しなくなったとき、畳んだりしても嵩張り収容性が悪かった。
【先行技術文献】
【特許文献】
【０００４】
【特許文献１】特開２０１３−２３６７１５
【発明の概要】
【発明が解決しようとする課題】
【０００５】
本発明は、登下校時に常時児童がランドセルに収容・携帯して、災害時にはすぐに取出し、使用でき、防災性能、衝撃吸収性能、洗濯性能、軽量性、耐吸水性、難燃性に優れたランドセル収納用防災頭巾を提供することを目的としている。
【課題を解決するための手段】
【０００６】
１．  本発明の防災頭巾は、以下の構成をとる。
（１）顔側及び首側が開口し、防水性、耐吸水性及び難燃性を有し、児童の頭部を被覆する外側カバーであって、頭部と、後部に開閉スリットを有する首部とを有し、左右重ね合わせできるようになっている外側カバーと、
（２）顔側及び首側が開口し、外側カバーの頭部の内方に位置しかつ外側カバーの内側に縫合加工により取付けられ、防水性、耐吸水性、難燃性及び耐衝撃性を有し、頭部を被覆する内側クッション部材であって、左右重ね合わせできるようになっている内側クッション部材とからなる防災頭巾であって、
内側クッション部材は両頬へ延びる帯状部を有し、帯状体の下端部は両側の帯状体の下端部が互いに取り外し可能に連結され防災頭巾を固定保持するようにされ、かつ児童の耳に対応する位置に耳を露出するための凹部を有し、かつ後頭部と該凹部との間に下方部を有し下方部は後頭部下端からスリットを有し、スリットにより左右に開閉するようにされ、内側クッション部材の帯状部と下方部は外側カバーの首部の上方に位置し、
（３）防災頭巾は使用しないときには、外側カバーを構成する左右の外側カバー部及び内側クッション部材を構成する左右の内側クッション部はそれぞれ重ね合わせることができ、
（４）外側カバーの首部をスリットの上端部が位置する高さ位置に沿って内側に折り返すことによって、クッション部材の帯状部及び下方部の少なくとも一部を折り返した首部内側に収容し、
（５）防災頭巾は重ね合わせ折り返した状態でランドセルの蓋部の内側に着脱可能に収容可能なサイズとされた、防災頭巾。
【０００７】
２．（１−１）外側カバーは左右2枚の外側カバー部から形成され、各外側カバー部は頭頂部、後頭部、頭頂部と後頭部とに連なり外側に凸状に湾曲した移行部、首部及び顔部とを有し、
（１−２）左右2枚の外側カバー部の頭頂部、移行部及び後頭部の外縁部が重ね合わされ縫合されて外側カバーが形成され、左右2枚の外側カバー部の首部の間にスリットが形成され、左右外側カバー部の移行部から斜め内方に延び外側カバー部が外側へ膨らむことを可能とする縫合部が設けられ、
（２−１）内側クッション部材は、左右2枚の内側クッション部からなり、各内側クッション部は頭頂部、後頭部、頭頂部と後頭部とに連なる凸状に湾曲した移行部、首部、後頭部と首部とに連なる下方部及び顔部とを有し、
（２−２）内側クッション部の下方部は、内側クッション部を外側カバーの内側に取付けた時、外側カバーの首部の上方に位置し、内側クッション部の頭頂部、移行部及び後頭部は連続したなだらかな曲線状とされ、
（２−３）各内側クッション部には立体縫合されて頭部形状に沿う形状を形成するカット部が形成され、
（２−４）各内側クッション部の顔部の下方には頬へ延びる前記帯状部が形成され、
（２−５）各内側クッション部の帯状体の後方の首部には耳を露出するための凹部が形成され、
（２−６）左右2枚の内側クッション部の頭頂部、移行部及び後頭部の外縁部は互いに重ね合わせた状態で、縫合され、頭頂部、移行部及び後頭部の外縁部に帯状に延びる補強リブが形成されている、上記１に記載の防災頭巾。
【０００８】
３．外側カバーは、高強度ポリエステル基布の表面を塩化ビニル樹脂でコーティングした複合材料を用いる、上記１または２に記載の防災頭巾。
４．内側クッション部材は、発泡ゴムであって、密度が0.100+/-0.03〜0.240+/-0.04g/cm3、硬度（Ｃタイプ）が5+/-3〜35+/-5、25％圧縮荷重が9.8-39.2KPa（100-400g/cm2）〜88.3-166.7 KPa（900-1700g/cm2）である、上記１乃至３のいずれかに記載の防災頭巾。
５．内側クッション部材の顔部の縁部及び首部の前方端部は、ストレッチ縫合され強度が高められている、上記１乃至４のいずれかに記載の防災頭巾。
６．帯状体の下端部には着脱リボンが取付けられ、左右の着脱リボンを互いに取り外し可能に連結し防災頭巾を固定保持する、上記１乃至５のいずれかに記載の防災頭巾。着脱リボンとしては、面ファスナーを挙げることができる。
７．頭頂部近傍、耳部露出用凹部後方の下方部縁部近傍及び帯状部で内側クッション部材は外側カバーの内側に縫合固定されている、上記１乃至６のいずれかに記載の防災頭巾。
【発明の効果】
【０００９】
（１）接着剤を使用せず、不燃性の外側カバーと内側クッション部とを糸で縫合して防災頭巾を形成しているので、全体が不燃性とされ、火災時に挿着していても着火することはない。なお、本願で縫合というときは糸で縫合することを意味する。
（２）防災頭巾の外側カバーは顔側から首側が開口され頭部が閉じられ、首部の後方にはスリットが形成されているので非常に被りやすく、また内側クッション部材は外側カバーの首部上方に適所において縫合により取り付けられているので、防災頭巾全体の重量の軽量化が図れ、かつ児童の首を挿入した場合に内側クッション部は外側カバー部の首部上方に固定されているので、被着感に非常に優れる。
（３）内側クッション部の児童の耳に対応する位置は凹部とされているので、児童は防災頭巾を被着した状態で外部の音を良く聞き取ることができる。
（４）本発明の防災頭巾は児童のランドセルに常時収容した状態で携帯するので、児童は登校時に災害に遭った場合にランドセルから容易に取り外し被着することが可能となる。
（５）児童の側面の頬を帯状部のみが接触し帯状部で保護するようになっているので、児童に安心感を与えると同時に、開放的な感覚を与える。
（６）防災頭巾の外側カバーは耐吸水性とされているので、雨にぬれても重くならず、また雨具としても使用できる。
【図面の簡単な説明】
【００１０】
【図１】本発明に係る一実施態様である防災頭巾１の外側カバー１を示す。
【図２】本発明に係る一実施態様である防災頭巾１の内側クッション部材２を示す。
【図３】（ａ）は内側クッション２を構成する内側クッション部２−１、２−２の組立てる前の立体裁断状態を示し、（ｂ）は内側クッション部２をマネキンの頭部に被せた時の右側面から見た図であり、（ｃ）は前方から見た図であり、（ｄ）は後方から見た図である。
【図４】外側カバー１の内側に内側カバー２を取り付け、開いた状態の本発明に係る一実施態様の防災部金を示す。
【図５】外側カバー１の前方のカバー部１−１を首部１ｄを折返し線１ｍに沿って内方かつ上方に折り曲げ、内側クッション部２−１，２−２の首部２ｄと下方部２ｅが一緒となる下端部２ｔ、帯状部２ｈ及び着脱リボン２ｊとを収納した状態を示し、外側カバー１の後方のカバー部１−２は未だ折返していない状態を示す。
【図６】（ａ）は、折り畳んだ防災頭巾１をランドセル６を開けて蓋部６ａの裏側に脱着式開閉バンド６ｂで取り付けた状態を示し、（ｂ）は蓋部６ａによりランドセル６の本体を閉じた、折り畳まれた防災頭巾１はランドセル蓋部６ａとランドセル本体６ｃとの間に挟み固定されている状態を示す。
【発明を実施するための形態】
【実施例】
【００１１】
以下に、図面に基づき本発明の防災頭巾の一実施態様を説明するが、本発明はこの実施態様に限定されるものではなく、特許請求の範囲内で種々の変更が可能であり、それらのものも本発明に含まれる。
本発明の一実施態様に係る防災頭巾１は、図１に示す外側カバー１と、図２に示す内側クッション部材２とからなる。外側カバー１は、顔側及び首側が開口し、防水性、耐吸水性及び難燃性を有し、頭部を被覆する。強度は、例えば縦横それぞれ引張強度タテ５０〜１２０ｋｇｆ／３ｃｍ、ヨコ５０〜９０ｋｇｆ／３ｃｍ、引裂強度タテ、ヨコ５〜２０ｋｇｆとすることができる。外側カバーの材質としては、高強度ポリエステル基布の表面を塩化ビニル樹脂でコーティングしたものを使用する。例えば、カラー  ターポリン「ボンガード３５」（ボンガード：登録商標）（厚み０．３５ｍｍ（ＪＩＳ  Ｌ１０９６）、引張強度タテ５７ｋｇｆ／３ｃｍ（５５９Ｎ／３ｃｍ）、ヨコ５５ｋｇｆ／３ｃｍ（５３９Ｎ／ｃｍ３）（ＪＩＳ  Ｌ１０９６））、引裂強度タテ、ヨコ７ｋｇｆ（６９Ｎ／３ｃｍ）（ＪＩＳ  Ｋ６７７２））を用いることができる（日本ウエーブロック株式会社製造）。
【００１２】
外側カバー１は左右2枚の外側カバー部１−１、１−２から形成され、各外側カバー部は頭頂部１ａ、後頭部１ｂ、頭頂部１ａと後頭部１ｂとに連なり外側に凸状に湾曲した移行部１ｃ、首部１ｄ及び顔部１ｅとを有し、左右2枚の外側カバー部１−１、１−２の頭頂部１ａ、移行部１ｃ及び後頭部１ｂの外縁部が内方に折られ折返され縫合されて（図４の縫合部１ｊ）、外側カバーが形成され、左右2枚の外側カバー部１−１、１−２の首部の間にスリット１ｇが形成されている。左右外側カバー部の移行部１ｃから斜め内方に延び外側カバー部が外側へ膨らむことを可能とする縫合部１ｋが設けられている。各外側カバーの頭頂部１ａ、後頭部１ｂ、移行部１ｃ、首部１ｄ、顔部１ｅ及びスリット１ｇの外縁部は内側におられ縫製加工をして強度を高めている。図１及び図４において、１点鎖線１ｍは首部１ｄを折り返して外側カバーの内側に収容する際の仮想折れ線を示す。
【００１３】
内側クッション部材２は、左右2枚の内側クッション部２−１，２−２からなり、各内側クッション部は頭頂部２ａ、後頭部２ｂ、頭頂部２ａと後頭部２ｂとに連なる凸状に湾曲した移行部２ｃ、首部２ｄ、後頭部２ｂと首部２ｄとに連なる下方部２ｅ及び顔部２ｆとを有し、内側クッション部の下方部２ｅは、内側クッション部を外側カバーの内側に取付けた時、外側カバーの首部１ｄの上方に位置するようになっている。内側クッション部の頭頂部２ａ、移行部２ｃ及び後頭部２ｂは連続したなだらかな曲線状とされている。図３（ａ）に示すように、各クッション部２−１，２−２には縫合されて頭部形状に沿う形状を形成するカット部２ｐ、２ｑが形成され、各クッション部の顔部２ｆの下方には児童の頬へ延びる帯状部２ｈが形成され、帯状体の後方の首部２ｄには耳を露出するための凹部２ｇが形成されている。帯状体２ｈの下端部には外端部に固定ファスナーを設けた着脱リボン２ｊが設けられ、両側の着脱リボンにより両側の帯状体２ｇの下端部が互いに着脱可能に連結され防災頭巾を固定保持するようにされている。内側クッション部材は、発泡ゴムであって、密度が0.100+/-0.03〜0.240+/-0.04g/cm3、硬度（Ｃタイプ）が5+/-3〜35+/-5、25％圧縮荷重が9.8-39.2KPa（100-400g/cm2）〜88.3-166.7 KPa（900-1700g/cm2）を用いることができる。例えば、イノアック産業用発泡品ゴムスポ（登録商標）E-4338（密度が0.150+/-0.03g/cm3、硬度（Ｃタイプ）が20+/-5、、25％圧縮荷重が39.2-78.4KPa（400-800g/cm2）を用いることができる。
【００１４】
左右2枚の内側クッション部２−１，２−２の頭頂部２ａ、移行部２ｃ及び後頭部２ｂの外縁部は互いに重ね合わせた状態で、外縁部近郊部位で縫合され、頭頂部２ａ、移行部２ｃ及び後頭部２ｂの外縁部に帯状に延びる補強リブ２ｒが形成されている。カット部２ｐの対向する内縁部は互いに突き合わせて縫合され（縫合部２Ｐ）、またカット部２ｑの対向する内縁部は互いに突き合わせて縫合されることによって（縫合部２Ｑ）、左右2枚の内側クッション部２−１，２−２により内側クッション２が形成される。
【００１５】
内側クッション２は、図３（ｂ）、（ｃ）及び（ｄ）に示すように、児童の頭部を被覆する。図３（ｂ）に示すように、内側クッション部の帯状部２ｈが児童の頬にかかるので、児童に安心感を与え、一方帯状部２ｈの後方の首部２ｄには耳を露出するための凹部２ｇが形成されているので、頭巾を挿着した状態でも音は良く聞こえるとともに、児童に開放感を与える。また、図3（ｄ）に示すように、後頭部２ｂの下方にスリット２ｓが設けられているので、児童の頭部の大きさに従ってスリット２ｓが狭まったり広がったりして内部クッション２の大きさを調整可能としている。
【００１６】
次に、図４を参照して、外側カバー１の内側に内側カバー２を取り付ける方法を述べる。外側カバー１の外側カバー部１−１，１−２とに対応させてそれぞれ内側クッション２の内側クッション部２−１，２−２を配置させ、一方内側クッション部２−１，２−２の首部２ｄと下方部２ｅが一緒となる下端部２ｔは、外側カバー１の仮想折れ線である１点鎖線１ｍの上方に位置している。外側カバー１の１点鎖線１ｍに沿って、外側カバー部の首部１ｄを折り返して外側カバーの内側に収容する。この状態で、内側クッション２の上部を外側カバー１に対して糸で縫合し（縫合箇所３−１）、帯状部２ｈの下方部と着脱リボン２ｊの内方部とを外側カバー１縫合し（縫合箇所３−２）、下方部２ｅの中央部を外側カバーに縫合し（縫合個所３−３）、かつ着脱リボン２ｊの中央部は外側カバー１に縫合されている（縫合箇所３−４）。
【００１７】
図４の防災具は、左右が重ね合さるよう畳むことができる。図５は、外側カバー１の前方のカバー部１−１の首部１ｄを折返し線１ｍに沿って内方かつ上方に折り曲げ、内側クッション部の首部２ｄと下方部２ｅが一緒となる下端部２ｔ、帯状部２ｈ及び着脱リボン２ｊとを収納した状態を示し、外側カバー１の前方のカバー部１−２は未だ折返していない状態を示す。
【００１８】
図６（ａ）は、折り畳んだ防災頭巾１をランドセル６を開けて蓋部６ａの裏側に脱着式開閉バンド６ｂで取り付けた状態を示し、図６（ｂ）は蓋部６ａによりランドセル６の本体を閉じた状態を示し、折り畳まれた防災頭巾１はランドセル蓋部６ａとランドセル本体６ｃとの間に挟まれ固定されている。開閉バンド６ｂの蓋部表面側は幅広の帯状体６ｄとされ、意匠的な着色が施されている。災害時に防災頭巾１を使用する際には、児童は児童本人でまずランドセル６の蓋部６ａを本体６ｃから外し、上方に開いて脱着式開閉バンド６ｂを開いて、蓋部６ａから防災頭巾１を取り外し、防災頭巾１を開いて、頭部にかぶり、左右の着脱リボン２ｊ、２ｊで固定して、防災頭巾１で児童頭部を保護することができる。防災頭巾１が不要になった場合には、児童本人で左右の着脱リボン２ｊ、２ｊを開いて防災頭巾１を頭から取り外し、防災頭巾１を折り畳んで、ランドセル６の蓋部裏側に脱着式開閉バンド６ｂで取り付け、蓋部６ａをランドセル本体６ｃに取り付けることによって収容することができる。
【００１９】
本発明に係る防災頭巾１は、（財）日本防炎協会「防炎製品性能試験基準（防災頭巾等）平成25年7月10日最終改正）に準拠したエアーミックスバーナー法並びに、JIST8131産業用安全帽6.5に規定される基準に適合するものとすることができる。
【産業上の利用可能性】
【００２０】
登下校時に常時児童がランドセルに収容・携帯して、災害時にはすぐに取出し、使用できる防災性能、衝撃吸収性能、軽量性、耐吸水性、難燃性に優れたランドセル収納用防災頭巾を提供するので、災害から児童の頭部を守るという観点から産業上の利用可能性は大きい。
【符号の説明】
【００２１】
１・・・外側カバー、２・・・内側クッション部材、１−１、１−２・・・外側カバー部、１ａ・・・頭頂部、１ｂ・・・後頭部、１ｃ・・・凸状に湾曲した移行部、１ｄ・・・首部、１ｅ・・・顔部、１ｊ・・・縫合部、１ｇ・・・スリット、１ｈ、１ｋ・・・縫合部、１ｍ・・・１点鎖線、２−１，２−２・・・内側クッション部、２ａ・・・頭頂部、２ｂ・・・後頭部、２ｃ・・・凸状に湾曲した移行部、２ｄ・・・首部、２ｅ・・・下方部、２ｆ・・・顔部、２ｐ、２ｑ・・・カット部、２ｇ・・・凹部、２ｈ・・・帯状部、２ｊ・・・着脱リボン、２ｒ・・・補強リブ、２Ｐ、２Ｑ・・・縫合部、２ｓ・・・スリット、２ｔ・・・下端部、３−１、３−２、３−３・・・縫合箇所、６・・・ランドセル、６ａ・・・蓋部、６ｂ・・・脱着式開閉バンド、６ｃ・・・ランドセル本体、６ｄ・・・帯状体
【図１】
2016034389.tif 000003
【図２】
2016034389.tif 000004
【図３】
2016034389.tif 000005
【図４】
2016034389.tif 000006
【図５】
2016034389.tif 000007
【図６】
2016034389.tif 000008